(57)【要約】【課題】ＬＴＥＦＤＤ及びＬＴＥＴＤＤに同一のＳＲＳのフォーマットを提供すること。【解決手段】本発明は、ユーザ端末がサウンディング参照信号伝送のためのＳＲＳ周期及び少なくとも一つのオフセットと関連した情報を受信する段階と、前記ＵＥが少なくとも一つのＳＲＳを生成する段階と、ＵｐＰＴＳが２つのＳＣＦＤＭＡシンボルを含み、前記情報が、ＳＲＳ周期が２ｍｓであり且つオフセット０及びオフセット１を指示する場合には、前記ＵＥが前記ＵｐＰＴＳにおける前記２つのＳＣＦＤＭＡシンボルで前記少なくとも一つのＳＲＳを伝送する段階と、を含む通信システムで上向きリンクサウンディング参照信号を伝送する。【選択図】図５
2014112971.tif 000002
【特許請求の範囲】
【請求項１】
ユーザ端末（ＵＥ：Ｕｓｅｒ  Ｅｑｕｉｐｍｅｎｔ）がサウンディング参照信号（ＳＲＳ：Ｓｏｕｎｄｉｎｇ  Ｒｅｆｅｒｅｎｃｅ  Ｓｉｇｎａｌ）伝送のためのＳＲＳ周期及び少なくとも一つのオフセットと関連した情報を受信する段階と、
前記ＵＥが少なくとも一つのＳＲＳを生成する段階と、
ＵｐＰＴＳ（Ｕｐｌｉｎｋ  Ｐｉｌｏｔ  Ｔｉｍｅ  Ｓｌｏｔ）が２つのＳＣＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルを含み、前記情報が、ＳＲＳ周期が２ｍｓであり且つオフセット０及びオフセット１を指示する場合には、前記ＵＥが前記ＵｐＰＴＳにおける前記２つのＳＣＦＤＭＡシンボルで前記少なくとも一つのＳＲＳを伝送する段階と、を含む通信システムで上向きリンクサウンディング参照信号を伝送するための方法。
【請求項２】
前記オフセット０は、前記２つのＳＣＦＤＭＡシンボルのうち、第１ＳＣＦＤＭＡシンボルと関連し、前記オフセット１は、前記２つのＳＣＦＤＭＡシンボルのうち、第２ＳＣＦＤＭＡシンボルと関連することを特徴とする請求項１に記載の通信システムで上向きリンクサウンディング参照信号を伝送するための方法。
【請求項３】
ＵｐＰＴＳが１つのＳＣＦＤＭＡシンボルを含み、 前記情報が、ＳＲＳ周期が２ｍｓであり且つ少なくともオフセット１を指示する場合には、前記ＵＥが前記ＵｐＰＴＳにおける前記１つのＳＣＦＤＭＡシンボルで前記少なくとも一つのＳＲＳを伝送する段階をさらに含み、ここで、前記オフセット１が前記１つのＳＣＦＤＭＡシンボルと関連することを特徴とする請求項１又は２に記載の通信システムで上向きリンクサウンディング参照信号を伝送するための方法。
【請求項４】
オフセット２は、２番目のサブフレームにおけるシンボルを指示し、オフセット３は、３番目のサブフレームにおけるシンボルを指示し、オフセット４は、４番目のサブフレームにおけるシンボルを指示することを特徴とする請求項１乃至３のいずれかに記載の通信システムで上向きリンクサウンディング参照信号を伝送するための方法。
【請求項５】
前記情報は、下記表により定義されることを特徴とする請求項１乃至４のいずれかに記載の通信システムで上向きリンクサウンディング参照信号を伝送するための方法。
【表１】
2014112971.tif 000011
【請求項６】
サウンディング参照信号（ＳＲＳ：Ｓｏｕｎｄｉｎｇ  Ｒｅｆｅｒｅｎｃｅ  Ｓｉｇｎａｌ）伝送のためのＳＲＳ周期及び少なくとも一つのオフセットと関連した情報を受信する受信部と、
少なくとも一つのＳＲＳを生成する制御部と、
ＵｐＰＴＳ（Ｕｐｌｉｎｋ  Ｐｉｌｏｔ  Ｔｉｍｅ  Ｓｌｏｔ）が２つのＳＣＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルを含み、前記情報が、ＳＲＳ周期が２ｍｓであり且つオフセット０及びオフセット１を指示する場合には、前記ＵｐＰＴＳにおける前記２つのＳＣＦＤＭＡシンボルで前記少なくとも一つのＳＲＳを伝送する伝送部と、を含む通信システムで上向きリンクサウンディング参照信号を伝送するためのユーザ端末（ＵＥ：Ｕｓｅｒ  Ｅｑｕｉｐｍｅｎｔ）。
【請求項７】
前記オフセット０は、前記２つのＳＣＦＤＭＡシンボルのうち、第１ＳＣＦＤＭＡシンボルと関連し、前記オフセット１は、前記２つのＳＣＦＤＭＡシンボルのうち、第２ＳＣＦＤＭＡシンボルと関連することを特徴とする請求項６に記載の通信システムで上向きリンクサウンディング参照信号を伝送するためのユーザ端末。
【請求項８】
ＵｐＰＴＳが１つのＳＣＦＤＭＡシンボルを含み、 前記情報が、ＳＲＳ周期が２ｍｓであり且つ少なくともオフセット１を指示する場合には、前記伝送部が前記ＵｐＰＴＳにおける前記１つのＳＣＦＤＭＡシンボルで前記少なくとも一つのＳＲＳを伝送し、ここで、前記オフセット１が前記１つのＳＣＦＤＭＡシンボルと関連することを特徴とする請求項６又は７に記載の通信システムで上向きリンクサウンディング参照信号を伝送するためのユーザ端末。
【請求項９】
オフセット２は、２番目のサブフレームにおけるシンボルを指示し、オフセット３は、３番目のサブフレームにおけるシンボルを指示し、オフセット４は、４番目のサブフレームにおけるシンボルを指示することを特徴とする請求項６乃至８のいずれかに記載の通信システムで上向きリンクサウンディング参照信号を伝送するためのユーザ端末。
【請求項１０】
前記情報は、下記表により定義されることを特徴とする請求項６乃至９のいずれかに記載の通信システムで上向きリンクサウンディング参照信号を伝送するためのユーザ端末。
【表２】
2014112971.tif 000012
【請求項１１】
サウンディング参照信号（ＳＲＳ：Ｓｏｕｎｄｉｎｇ  Ｒｅｆｅｒｅｎｃｅ  Ｓｉｇｎａｌ）伝送のためのＳＲＳ周期及び少なくとも一つのオフセットと関連した情報をユーザ端末（ＵＥ：Ｕｓｅｒ  Ｅｑｕｉｐｍｅｎｔ）に伝送する段階と、
ＵｐＰＴＳ（Ｕｐｌｉｎｋ  Ｐｉｌｏｔ  Ｔｉｍｅ  Ｓｌｏｔ）が２つのＳＣＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルを含み、前記情報が、ＳＲＳ周期が２ｍｓであり且つオフセット０及びオフセット１を指示する場合には、前記ＵｐＰＴＳにおける前記２つのＳＣＦＤＭＡシンボルで少なくとも一つのＳＲＳを前記ＵＥから受信する段階と、を含む通信システムで上向きリンクサウンディング参照信号を受信するための方法。
【請求項１２】
前記オフセット０は、前記２つのＳＣＦＤＭＡシンボルのうち、第１ＳＣＦＤＭＡシンボルと関連し、前記オフセット１は、前記２つのＳＣＦＤＭＡシンボルのうち、第２ＳＣＦＤＭＡシンボルと関連することを特徴とする請求項１１に記載の通信システムで上向きリンクサウンディング参照信号を受信するための方法。
【請求項１３】
ＵｐＰＴＳが１つのＳＣＦＤＭＡシンボルを含み、 前記情報が、ＳＲＳ周期が２ｍｓであり且つ少なくともオフセット１を指示する場合には、前記ＵｐＰＴＳにおける前記１つのＳＣＦＤＭＡシンボルで前記少なくとも一つのＳＲＳを前記ＵＥから受信する段階をさらに含み、ここで、前記オフセット１が前記１つのＳＣＦＤＭＡシンボルと関連することを特徴とする請求項１１又は１２に記載の通信システムで上向きリンクサウンディング参照信号を受信するための方法。
【請求項１４】
オフセット２は、２番目のサブフレームにおけるシンボルを指示し、オフセット３は、３番目のサブフレームにおけるシンボルを指示し、オフセット４は、４番目のサブフレームにおけるシンボルを指示することを特徴とする請求項１１乃至１３のいずれかに記載の通信システムで上向きリンクサウンディング参照信号を受信するための方法。
【請求項１５】
前記情報は、下記表により定義されることを特徴とする請求項１１乃至１４のいずれかに記載の通信システムで上向きリンクサウンディング参照信号を受信するための方法。
【表３】
2014112971.tif 000013
【請求項１６】
ウンディング参照信号（ＳＲＳ：Ｓｏｕｎｄｉｎｇ  Ｒｅｆｅｒｅｎｃｅ  Ｓｉｇｎａｌ）伝送のためのＳＲＳ周期及び少なくとも一つのオフセットと関連した情報をユーザ端末（ＵＥ：Ｕｓｅｒ  Ｅｑｕｉｐｍｅｎｔ）に伝送する伝送部と、
ＵｐＰＴＳ（Ｕｐｌｉｎｋ  Ｐｉｌｏｔ  Ｔｉｍｅ  Ｓｌｏｔ）が２つのＳＣＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルを含み、前記情報が、ＳＲＳ周期が２ｍｓであり且つオフセット０及びオフセット１を指示する場合には、前記ＵｐＰＴＳにおける前記２つのＳＣＦＤＭＡシンボルで少なくとも一つのＳＲＳを前記ＵＥから受信する受信部と、を含む通信システムで上向きリンクサウンディング参照信号を受信するための基地局。
【請求項１７】
前記オフセット０は、前記２つのＳＣＦＤＭＡシンボルのうち、第１ＳＣＦＤＭＡシンボルと関連し、前記オフセット１は、前記２つのＳＣＦＤＭＡシンボルのうち、第２ＳＣＦＤＭＡシンボルと関連することを特徴とする請求項１６に記載の通信システムで上向きリンクサウンディング参照信号を受信するための基地局。
【請求項１８】
ＵｐＰＴＳが１つのＳＣＦＤＭＡシンボルを含み、 前記情報が、ＳＲＳ周期が２ｍｓであり且つ少なくともオフセット１を指示する場合には、前記受信部が前記ＵｐＰＴＳにおける前記１つのＳＣＦＤＭＡシンボルで前記少なくとも一つのＳＲＳを前記ＵＥから受信し、ここで、前記オフセット１が前記１つのＳＣＦＤＭＡシンボルと関連することを特徴とする請求項１６又は１７に記載の通信システムで上向きリンクサウンディング参照信号を受信するための基地局。
【請求項１９】
オフセット２は、２番目のサブフレームにおけるシンボルを指示し、オフセット３は、３番目のサブフレームにおけるシンボルを指示し、オフセット４は、４番目のサブフレームにおけるシンボルを指示することを特徴とする請求項１６乃至１８のいずれかに記載の通信システムで上向きリンクサウンディング参照信号を受信するための基地局。
【請求項２０】
前記情報は、下記表により定義されることを特徴とする請求項１６乃至１９のいずれかに記載の通信システムで上向きリンクサウンディング参照信号を受信するための基地局。
【表４】
2014112971.tif 000014
【発明の詳細な説明】
【技術分野】
【０００１】
本発明は、通信システムに関し、より詳細には、ＬＴＥ（Long Term Evolution）通信システムでサウンディング参照信号（sounding reference signal；ＳＲＳ）を伝送する方法及びその方法を利用した装置に関する。
【背景技術】
【０００２】
３ＧＰＰ標準化機構は、次世代無線通信標準、すなわちＬＴＥに対する作業を進行中である。ＬＴＥは、物理階層インターフェースにおいて、既存のコード分割多重接続（ＣＤＭＡ）技法と異なる、直交周波数分割多重化（ＯＦＤＭ）技法を使用する。下向きリンクでは、ＯＦＤＭＡが使用され、上向きリンクでは、単一搬送波周波数分割多重接続（ＳＣＦＤＭＡ）が使用される。ＬＴＥに使用される技術は、既存の時間領域等化の複雑性を低減する周波数領域等化を採用して多重波伝搬に効果的な抵抗性を提供し、これにより、高速のデータ伝送にさらに適している。
【０００３】
無線インターフェースの観点から、ＬＴＥ標準技法は、時分割二重方式（time division duplex；ＴＤＤ）システム及び周波数分割二重方式（frequency division duplex；ＦＤＤ）システムの２つの部類に分けられる。ＬＴＥシステムは、可変的な帯域幅をサポートする。代表的な帯域幅は、１．４ＭＨｚ、３ＭＨｚ、５ＭＨｚ、１０ＭＨｚ、１５ＭＨｚ及び２０ＭＨｚであり、これらは、異なるシナリオの要求事項を満足させることができる。
【０００４】
図１は、ＬＴＥ ＦＤＤシステムの物理階層フレーム構造を示す。ここで、無線フレーム（１０１）の長さは、１０ｍｓであり、同一の大きさの１０個の無線サブフレーム（１０２）を含み、各サブフレームの長さは、１ｍｓである。１つのサブフレームは、２個のスロット（１０３）で構成され、各スロットの長さは、０．５ｍｓである。
【０００５】
図２は、ＬＴＥ ＴＤＤシステムの物理階層フレーム構造を示す。図２に示されたように、無線フレーム（２０１）の長さは、１０ｍｓであり、同一の大きさの１０個の無線サブフレーム（２０４）を含み、各サブフレームの長さは、１ｍｓである。５個の連続したサブフレームは、５ｍｓの長さを有する１つのハーフフレーム（２０２）を構成する。ＬＴＥ ＦＤＤシステムとは異なって、ＬＴＥ ＴＤＤ無線フレームにおいて２番目のサブフレーム（２１１）及び７番目のサブフレーム（２１２）は、２個の特殊なサブフレームである。各特殊サブフレームの長さは、１ｍｓであり、下向きリンクパイロット時間スロット（ＤｗＰＴＳ）（２０５または２０８）、保護区間（ＧＰ）（２０６または２０９）及び上向きリンクパイロット時間スロット（ＵｐＰＴＳ）（２０７または２１０）の３個の特別なスロットを含む。前記３個の特別なスロットの長さは、可変的であり、システム毎に異なるように定義されることができるが、その全体長さは、１ｍｓである。ＵｐＰＴＳの長さは、０、１または２ＳＣＦＤＭＡシンボルになることができる。ＵｐＰＴＳの長さが２の場合、ＵｐＰＴＳは、上向きリンクＳｈｏｒｔ  ＲＡＣＨ（short random access channel）、上向きリンクＳＲＳ、またはＳｈｏｒｔ  ＲＡＣＨ及びＳＲＳの両方を伝送するのに利用される。ＵｐＰＴＳの長さが１の場合、ＵｐＰＴＳは、上向きリンクＳＲＳを伝送するのに使用される。２個の特殊サブフレームを除いた８個のサブフレームは、各々長さが０．５ｍｓである２個のスロットで構成される。
【０００６】
ＬＴＥシステムにおいて、ユーザ端末（ＵＥ）は、ネットワークスケジューリングによってサウンディング参照信号をｅｖｏｌｖｅｄ  ＮｏｄｅＢ（ｅＮｏｄｅＢ）に伝送する。ＳＲＳ分析の結果によって、ｅＮｏｄｅＢは、端末からのＳＲＳ伝送に使用されたチャネルの品質及び周波数選択的特性によるスケジューリングデータを推定する。また、ｅＮｏｄｅＢは、ＳＲＳ分析を通じて端末のタイミング追跡を行い、閉ループ電力制御を行う。現在の標準化過程によれば、ＬＴＥ ＦＤＤシステムにおいてＳＲＳ伝送に対する主要結論は、指定されたセルで必要時にＳＲＳを放送するｅＮｏｄｅＢ及び指定されたセルで或るサブフレームに周期的に伝送されるＳＲＳを含むことである。周期は、２、５、１０、２０、４０、８０、１６０及び３２０ｍｓの中から選択される。
【０００７】
端末が指定されたセルでＳＲＳを受信した後、前記ＳＲＳに占有されたＯＤＦＭシンボル資源は、上向きリンクデータ伝送時に使用されない。ＳＲＳ伝送のために、端末は、ネットワークから伝送されたユーザ−指定ＳＲＳ（user-designated ＳＲＳ）を受信しなければならない。この信号は、ユーザにＳＲＳ伝送に使用されるＯＦＤＭシンボル資源を通知する。現在、ＬＴＥで成就した、物理階層規格で指定された端末に対してＳＲＳを伝送することに関する記述がない。
【０００８】
現在、標準でユーザ−指定ＳＲＳシグナリングに関する基本的なアイディアは、シグナリングが期間（duration）、周期（period）及びオフセット（offset）の３つの部分を含むことである。ここで、期間は、１ビットを使用して一瞬間（snapshot）または無限を示すことができる。周期値は、２、５、１０、２０、４０、８０、１６０及び３２０ｍｓの中から選択される。
【０００９】
ＬＴＥ ＦＤＤにおいて、オフセットは、ＳＲＳ周期の開始から、ＳＲＳの各ＯＦＤＭシンボルの２つの伝送時間（transmission times）の間の時間であり、その基本単位は、１ｍｓである。ＬＴＥ ＴＤＤのオフセット定義は、ＬＴＥ ＦＤＤのそれと異なる。ＬＴＥ ＴＤＤでは、ＳＲＳがＵｐＰＴＳまたはその他の上向きリンクサブフレームに伝送されることができ、上向きリンクサブフレームは、不連続的であってもよく、ＵｐＰＴＳは、多くても２個のＯＦＤＭシンボルを占有することができるので、オフセットは、ＳＲＳ伝送に使用されたＯＦＤＭシンボル位置（position）とＳＲＳ伝送周期が始まるまでＳＲＳ伝送に使用されたＯＦＤＭシンボル位置との間の区間として定義される。例えば、周期の開始でＳＲＳシンボル位置が０として定義され、ＳＲＳ伝送に使用されたシンボル位置が３であれば、２つのシンボル間の区間は３になる。結果的に、ＳＲＳ伝送に使用されることができるＯＦＤＭシンボル位置は、多くても２個である。
【００１０】
ＬＴＥ ＴＤＤでのＳＲＳ伝送方式は、ＬＴＥ ＦＤＤでのそれとほぼ同じである。しかし、ＬＴＥ ＴＤＤのシステム構造は、ＬＴＥ ＦＤＤのそれと異なる。差異は、ＬＴＥ ＴＤＤにおいて、５ｍｓ長さのハーフフレームは、上向きリンクサブフレーム及び下向きリンクサブフレームの両方を有し、また、複数の上向きリンクサブフレーム及び下向きリンクサブフレームがネットワークによって構成されることができることである。ある構成で、５ｍｓ長さのハーフフレームが少なくとも１つの上向きリンクサブフレームを有する（ＵｐＰＴＳ除外）。
【００１１】
１つの上向きリンクサブフレームにただ１つのＳＲＳが伝送されるという原則によれば、５ｍｓ毎にただ１つのＳＲＳ伝送があり、したがって、システムは、２ｍｓ周期のＳＲＳ伝送を達成することができない。それで、速い時変チャネル（fast time-varying channel）でユーザ端末によるＳＲＳ伝送の性能が低下する。
【００１２】
ＬＴＥ ＴＤＤ及びＬＴＥ ＦＤＤの差異に起因して、ＬＴＥ ＦＤＤでＳＲＳに対する２ｍｓ伝送周期の現在構成はＬＴＥ ＦＤＤシステムで使用することができない。
【発明の概要】
【発明が解決しようとする課題】
【００１３】
本発明は、従来技術に現われる前述したような問題点を解決するためになされたもので、本発明の実施例は、ＬＴＥ ＴＤＤシステムでサウンディング参照信号（ＳＲＳ）を伝送する装置と方法を提供する。
【００１４】
本発明の目的は、ＬＴＥ ＦＤＤ及びＬＴＥ ＴＤＤに同一のＳＲＳのフォーマットを提供することにある。
【００１５】
本発明の他の目的は、ＬＴＥ ＦＤＤシステムで２ｍｓ周期をサポートする問題を解決することにある。
【００１６】
本発明のさらに他の目的は、ＬＴＥ ＴＤＤ通信システムでＳＲＳを伝送する方法を提供することにある。
【課題を解決するための手段】
【００１７】
上記目的によって、ＬＴＥユーザ端末による上向きリンクＳＲＳ伝送方法が提供される。前記方法は、ユーザ端末がＳＲＳ伝送を指定する情報Ｎを受信する段階と、ユーザ端末がＳＲＳシーケンスを生成する段階と、情報ＮがＳＲＳ伝送周期が２ｍｓであることを示す場合、ユーザ端末が前記ＳＲＳをハーフフレームまたはフレームに２個のＯＦＤＭシンボルで伝送する段階と、を含む。
【００１８】
上記他の目的によって、ＬＴＥユーザ端末による上向きリンクＳＲＳ情報伝送方法が提供される。前記方法は、ユーザ端末がＳＲＳ伝送を指定する情報Ｎを受信する段階と、ユーザ端末がＳＲＳシーケンスを生成する段階と、ユーザ端末が前記情報Ｎに基づく周期に１または２個のＯＦＤＭシンボルを使用して前記ＳＲＳを伝送する段階とを含む。
【図面の簡単な説明】
【００１９】
【図１】ＬＴＥ ＦＤＤシステムのフレーム構造を例示する図である。
【図２】ＬＴＥ ＴＤＤシステムのフレーム構造を例示する図である。
【図３】ＬＴＥシステムで指定されたユーザのＳＲＳ伝送過程を示す図である。
【図４】ＬＴＥユーザ端末のＳＲＳ伝送過程を示す図である。
【図５】ＬＴＥ ＴＤＤシステムで７つのタイプの上向きリンク及び下向きリンク構成を示す図である。
【図６】本発明の実施例によってＬＴＥ ＴＤＤシステムでＳＲＳを伝送する例を示す図である。
【図７】本発明の実施例によってＬＴＥ ＴＤＤシステムでＳＲＳを伝送する例を示す図である。
【発明を実施するための形態】
【００２０】
以下、本発明を添付の図面を参照してさらに詳しく説明する。しかし、本発明は、様々な形態で具体化することができ、したがって、ここで提示された実施例に限定されると解釈してはならない。
【００２１】
ＬＴＥ ＦＤＤシステムにおいて、ＳＲＳの最大周期は、２、５、１０、２０、４０、８０、１６０及び３２０ｍｓの間にあるので、最大の柔軟性を達成するために、ある任意の周期（period）に対して、可能なＳＲＳオフセットは、０、１、…、周期−１の中から選択される。したがって、ＬＴＥ ＦＤＤに対して、指定されたユーザのＳＲＳは、６３７個のインデックス２＋５＋１０＋２０＋４０＋８０＋１６０＋３２０を含む。この方式は、最大の柔軟性を提供し、６３７個のインデックスを表示するために１０ビットを使用する。しかし、この１０ビットは、実際に１０２４個の情報を示すことができるので、その他３８７個のインデックス１０２４−６３７は、他の目的のために予約される。
【００２２】
周期が３２０ｍｓの場合、多くても３２０個のオフセットを提供することは不要であり、１０ビットは、最も効率的な過程でないだろう。このような状態で、オフセット範囲の減少によって、必要な全体ビットの個数が減少し、また、予約されるインデックスの個数が減少する方式で、オフセットの個数が減少することができる。
【００２３】
ユーザ端末（ＵＥ）は、基地局からＳＲＳ伝送周期を示すインデックスＮを受信する。ＬＴＥ ＴＤＤシステムにおいて、ＳＲＳ周期値は、やはり２、５、１０、２０、４０、８０、１６０、３２０ｍｓの間にある。オフセット設計は、周期が２ｍｓや５ｍｓの場合を除いて、ＬＴＥ ＦＤＤと同じである。しかし、ＬＴＥ ＦＤＤと比較して、差異は、ＬＴＥ ＴＤＤで上向きリンクサブフレームが常に連続的ではないため、２ｍｓの全体周期が使用されないことである。このような理由で、ＬＴＥに対する２ｍｓの周期は、ある特殊な設計を持たなければならない。
【００２４】
現在、ＬＴＥ ＴＤＤでサポートされる７つの上向きリンク及び下向きリンク構成（configuration）があり、これらは、図５に例示される。
【００２５】
図５を参照すれば、２ｍｓ周期の指定されたユーザのＳＲＳインデックスを指定するために、一群の対応するＳＲＳインデックスが定義される。構成０（５０１）、構成１（５０２）、構成２（５０３）及び構成６（５０７）において、すべてのインデックスは、５ｍｓハーフフレーム周期または５ｍｓフレーム周期に、ＳＲＳを伝送するように構成された、２個の連続のまたは任意のＯＦＤＭ位置がＯＦＤＭシンボルの中から選択されることを示す。指定されたユーザは、ＳＲＳ伝送のために、この位置を使用するように指示される。構成３（５０４）、構成４（５０５）及び構成５（５０６）において、すべてのインデックスは、１０ｍｓフレーム周期に、ＳＲＳを伝送するように構成された、２個の連続のまたは任意のＯＦＤＭ位置がＯＦＤＭシンボルの中から選択されることを示す。指定されたユーザは、ＳＲＳ伝送のために、この位置を使用するように指示される。言及された定義は、２ｍｓ周期でＳＲＳ伝送のために使用されるＯＦＤＭ位置を選択する方式を指定されたユーザに通知するのに使用される。
【００２６】
ＬＴＥ ＴＤＤシステムにおいて、ＵｐＰＴＳで２個のシンボル及び上向きリンクサブフレーム２、３及び４で３個のＯＦＤＭシンボルを含む５ｍｓハーフフレームにおいてＳＲＳ伝送のために使用されるＯＦＤＭシンボルは、多くても５個であることを考慮すべきである。２個の選択されるシンボルが任意なら、選択の数は、Ｃ（５、２）＝１０（Ｃ：組合せ）であり、該当するインデックスは、１０である。１０個のインデックスは、具体的なＯＦＤＭシンボルに対応するが、ここで、どんな対応関係でも本発明の要旨及び範囲を脱することなく、使用されることができる。
【００２７】
例えば、対応関係は、任意に選択されるかまたは高い優先順位のインデックスを先行または後行位置に指定することによって、対応が形成されることができる。優先順位に対する１つの事項は、１または２個のＵｐＰＴＳシンボルを先に考慮することである。２個の連続のＯＦＤＭシンボルを選択すれば、４つの状況（最終ＯＦＤＭシンボルと最初ＯＦＤＭシンボルが論理的に不連続）または５つの状況（最終ＯＦＤＭシンボルと最初ＯＦＤＭシンボルが論理的に連続）があるので、４または５個のインデックスが指示のために使用される。
【００２８】
周期が５ｍｓである時、ＬＴＥ ＴＤＤで１つの特殊な場合は、構成３（５０４）、構成４（５０５）及び構成５（５０６）に対して、１０ｍｓフレームの第２ハーフフレームで上向きリンク資源がないことである。それで、第２ハーフフレームでＳＲＳは伝送されることができない。仮に、２個の連続のまたは任意のＯＦＤＭ位置が第１ハーフフレームでＳＲＳを伝送するように構成されたＯＦＤＭシンボルの中から選択されれば、その定義は、ＬＴＥ ＴＤＤで２ｍｓ周期の場合と同じである。したがって、システム設計を単純化するために、本発明の一実施例によるＬＴＥ ＴＤＤにおいて、５ｍｓ周期は、構成３、４及び５に適していない。
【００２９】
ＬＴＥ ＦＤＤと比較すれば、ある状況で２ｍｓ及び５ｍｓの周期はサポートされない。したがって、ＬＴＥ ＦＤＤと類似の機能を達成するために、２ｍｓ及び５ｍｓの周期は再定義される。
【００３０】
再定義された方法に基づいて、構成０乃至２及び６の２ｍｓ周期は、５ｍｓの実際周期になる。すなわち、５ｍｓ毎に２個のＳＲＳシンボルが使用される。構成３乃至５の２ｍｓ周期を再定義するために、実際周期は、１０ｍｓになる。すなわち、１０ｍｓ毎に２個のＳＲＳシンボルが使用される。ＬＴＥ ＴＤＤで２ｍｓ及び５ｍｓ周期に対する前記再定義は、システム構成に使用されることができ、ＬＴＥ ＦＤＤとの比較を相対的に容易にする。
【００３１】
通常、システムは、２ｍｓ及び５ｍｓ周期をサポートせずに、５ｍｓまたは１０ｍｓに２個のＳＲＳを直接構成する。しかし、この２つの方法の主要概念は同一である。すなわち、方法の概念は、周期の再定義と同じである。
【００３２】
第２の方法についてより具体的に説明すれば、２ｍｓのＳＲＳ周期は、ＬＴＥ ＴＤＤでサポートされない。構成３乃至５に対して５ｍｓのＳＲＳ周期はサポートされない。しかし、構成０乃至２及び６のように、ハーフフレーム、すなわち５ｍｓ毎に２個のＳＲＳシンボルが構成されることができる。また、構成３乃至５のように、無線フレームの第１ハーフフレーム、すなわち１０ｍｓ毎に２個のＳＲＳシンボルが構成されることができる。ハーフフレーム毎に２個のＳＲＳシンボルを構成することは、前述した２ｍｓ及び５ｍｓ周期の再定義に使用された方法と類似の方法を使用することができる。完全に柔軟な構成は、１０（Ｃ（５、２））個の選択を指示するか、または構成方法を制限することによって、選択の数を低減する。
【００３３】
さらに、前述した２ｍｓ周期の再定義は、１つのハーフフレーム（５ｍｓ）に２個のＳＲＳシンボルを構成する。すなわちＬＴＥ ＴＤＤシステムにおいて２ｍｓ周期がサポートされず、ハーフフレーム（５ｍｓ）毎に２個のＳＲＳシンボルが構成されることは合理的である。構成０乃至２及び６に対して、実際周期は５ｍｓである、すなわち、５ｍｓ毎に２個のＳＲＳシンボルが使用される。構成３乃至５に対して、実際周期は１０ｍｓである。すなわち、１０ｍｓ毎に２個のＳＲＳシンボルが使用される。ハーフフレーム毎に２個のＳＲＳシンボルを構成することは、前述した２ｍｓ及び５ｍｓ周期の再定義に使用された方法と類似の方法を使用することができる。すなわち、柔軟な構成は、１０（Ｃ（５、２））個の選択を指示するか、または構成方法を制限することによって、選択の数を低減する。
【００３４】
ユーザ端末がＳＲＳ伝送を示す情報Ｎをネットワークから受信した後、Ｎによって指定されたＳＲＳ周期が全体セルで１つの周期にＳＲＳを伝送するように構成されたＯＦＤＭシンボルの個数より小さいか同一であれば、オフセットは、次のように計算することができる。
【００３５】
I．Ｎの範囲が０から３２０／ｆ−１であり、Ｎが示す周期が３２０ｍｓであれば、ＳＲＳは、オフセットＮ＊ｆを利用して伝送される。
【００３６】
II．Ｎの範囲が３２０／ｆから３２０／ｆ＋１６０／ｍ−１であり、Ｎが示す周期が１６０ｍｓであれば、ＳＲＳは、オフセットＮ−３２０／ｆ＊ｍを利用して伝送される。
【００３７】
III．Ｎの範囲が３２０／ｆ＋１６０／ｍから３２０／ｆ＋１６０／ｍ＋８０／ｔ−１であり、Ｎが示す周期が８０ｍｓであれば、ＳＲＳは、オフセットＮ−３２０／ｆ−１６０／ｍ＊ｔを利用して伝送される。
【００３８】
IV．Ｎの範囲が３２０／ｆ＋１６０／ｍ＋８０／ｔから３２０／ｆ＋１６０／ｍ＋８０／ｔ＋４０／ｎ−１であり、Ｎが示す周期が４０ｍｓであれば、ＳＲＳは、オフセットＮ−３２０／ｆ−１６０／ｍ−８０／ｔ＊ｎを利用して伝送される。
【００３９】
V．Ｎの範囲が３２０／ｆ＋１６０／ｍ＋８０／ｔ＋４０／ｎから３２０／ｆ＋１６０／ｍ＋８０／ｔ＋４０／ｎ＋２０／ｐ−１であり、Ｎが示す周期が２０ｍｓであれば、ＳＲＳは、オフセットＮ−３２０／ｆ−１６０／ｍ−８０／ｔ−４０／ｎ＊ｐを利用して伝送される。
【００４０】
VI．Ｎの範囲が３２０／ｆ＋１６０／ｍ＋８０／ｔ＋４０／ｎ＋２０／ｐから３２０／ｆ＋１６０／ｍ＋８０／ｔ＋４０／ｎ＋２０／ｐ＋１０／ｘ−１であり、Ｎが示す周期が１０ｍｓであれば、ＳＲＳは、オフセットＮ−３２０／ｆ−１６０／ｍ−８０／ｔ−４０／ｎ−２０／ｐ＊ｘを利用して伝送される。
【００４１】
VII．Ｎの範囲が３２０／ｆ＋１６０／ｍ＋８０／ｔ＋４０／ｎ＋２０／ｐ＋１０／ｘから３２０／ｆ＋１６０／ｍ＋８０／ｔ＋４０／ｎ＋２０／ｐ＋１０／ｘ＋５−１であり、Ｎが示す周期が１０ｍｓであれば、ＳＲＳは、オフセットＮ−３２０／ｆ−１６０／ｍ−８０／ｔ−４０／ｎ−２０／ｐ−１０／ｘを利用して伝送される。
【００４２】
上記計算において、ｆ、ｍ、ｔ及びｎは、各々１、２、４及び８であることができ、ｐは、１、２、４、５及び１０であることができ、ｘは、１、２及び５であることができ、Ｍは、情報Ｎによって指定された全体セルで１つの周期にＳＲＳを伝送するように構成されたＯＦＤＭシンボルの個数を示す。ｆ、ｍ、ｔ、ｎ及びＭの値は、システム規格で固定的に設定される。
【００４３】
ユーザ端末がＳＲＳ伝送を示す情報Ｎをネットワークから受信した後、Ｎによって指定されたＳＲＳ周期が全体セルで１つの周期にＳＲＳを伝送するように構成されたＯＦＤＭシンボルの個数より大きければ、オフセットは、次のように計算されることができる。
【００４４】
I．Ｎの範囲が０からＭ−１であり、Ｎが示す周期が３２０ｍｓであれば、ＳＲＳは、オフセットＮを利用して伝送される。
【００４５】
II．Ｎの範囲がＭから３２０／ｆ−１である場合には、システムによって予約される。
【００４６】
III．Ｎの範囲が３２０／ｆから３２０／ｆ＋Ｍ−１であり、Ｎが示す周期が１６０ｍｓであれば、ＳＲＳは、オフセットＮ−３２０／ｆを利用して伝送される。
【００４７】
IV．Ｎの範囲がＭから３２０／ｆ＋１６０／ｍ−１である場合には、システムによって予約される。
【００４８】
V．Ｎの範囲が３２０／ｆ＋１６０／ｍからＭ−１であり、Ｎが示す周期が８０ｍｓであれば、ＳＲＳは、オフセットＮ−３２０／ｆ−１６０／ｍを利用して伝送される。
【００４９】
VI．Ｎの範囲がＭから３２０／ｆ＋１６０／ｍ＋８０／ｔ−１である場合には、システムによって予約される。
【００５０】
VII．Ｎの範囲が３２０／ｆ＋１６０／ｍ＋８０／ｔからＭ−１であり、Ｎが示す周期が４０ｍｓであれば、ＳＲＳは、オフセットＮ−３２０／ｆ−１６０／ｍ−８０／ｔを利用して伝送される。
【００５１】
VIII．Ｎの範囲がＭから３２０／ｆ＋１６０／ｍ＋８０／ｔ＋４０／ｎ−１である場合には、システムによって予約される。
【００５２】
IX．Ｎの範囲が３２０／ｆ＋１６０／ｍ＋８０／ｔ＋４０／ｎからＭ−１であり、Ｎが示す周期が２０ｍｓであれば、ＳＲＳは、オフセットＮ−３２０／ｆ−１６０／ｍ−８０／ｔ−４０／ｎを利用して伝送される。
【００５３】
X．Ｎの範囲がＭから３２０／ｆ＋１６０／ｍ＋８０／ｔ＋４０／ｎ＋２０／ｐ−１である場合には、システムによって予約される。
【００５４】
XI．Ｎの範囲が３２０／ｆ＋１６０／ｍ＋８０／ｔ＋４０／ｎ＋２０／ｐからＭ−１であり、Ｎが示す周期が１０ｍｓであれば、ＳＲＳは、オフセットＮ−３２０／ｆ−１６０／ｍ−８０／ｔ−４０／ｎ−２０／ｐを利用して伝送される。
【００５５】
XII．Ｎの範囲がＭから３２０／ｆ＋１６０／ｍ＋８０／ｔ＋４０／ｎ＋２０／ｐ＋１０／ｘ−１である場合には、システムによって予約される。
【００５６】
XIII．Ｎの範囲が３２０／ｆ＋１６０／ｍ＋８０／ｔ＋４０／ｎ＋２０／ｐ＋１０／ｘからＭ−１であり、Ｎが示す周期が５ｍｓであれば、ＳＲＳは、オフセットＮ−３２０／ｆ−１６０／ｍ−８０／ｔ−４０／ｎ−２０／ｐ−１０／ｘを利用して伝送される。
【００５７】
XIV．Ｎの範囲がＭから３２０／ｆ＋１６０／ｍ＋８０／ｔ＋４０／ｎ＋２０／ｐ＋１０／ｘ＋５−１である場合には、予約される。
【００５８】
上記計算で、ｆ、ｍ、ｔ及びｎは、各々１、２、４及び８であることができ、ｐは、１、２、４、５及び１０であることができ、ｘは、１、２及び５であることができ、Ｍは、情報Ｎによって指定された全体セルで１つの周期にＳＲＳを伝送するように構成されたＯＦＤＭシンボルの個数を示す。ｆ、ｍ、ｔ、ｎ及びＭの値は、システム規格で固定的に設定される。
【００５９】
前述した設計方法は、指定されたユーザに対する最も基本的なＳＲＳ設計である。本発明は、ＬＴＥ ＦＤＤ及びＬＴＥ ＴＤＤで信号フォーマットの一貫性を考慮する。
【００６０】
まず、指定されたユーザのＳＲＳ伝送を示す情報ビットがＬＴＥ ＦＤＤ及びＬＴＥ ＴＤＤで同一である。例えば、１０ビットまたは９ビットが通知するために使用される。
【００６１】
次に、ＬＴＥ ＦＤＤ及びＬＴＥ ＴＤＤの両方で予約されたインデックスは、連続的なインデックスの一部のみを占有する。
【００６２】
ＬＴＥ ＦＤＤと互換されるＬＴＥ ＴＤＤの設計原則によって、指定されたユーザに対するＳＲＳ伝送信号は、下の表１から参照されることができる。
【００６３】
【表１】
2014112971.tif 000003
【００６４】
下記表２は、同一の設計原則の使用を説明するのに利用される。
【００６５】
【表２】
2014112971.tif 000004
【００６６】
周期値が昇順に整列されることができることを考慮して、表３は、ＬＴＥ ＴＤＤ及びＬＴＥ ＦＤＤに対するＳＲＳ信号のインデックスを一律的に説明する。
【００６７】
【表３】
2014112971.tif 000005
【００６８】
ＬＴＥ ＦＤＤ及びＬＴＥ ＴＤＤに対する設計の一貫性を保障するために、ＬＴＥ ＴＤＤである程度の柔軟性が犠牲されることができる。周期が２ｍｓの場合、ＬＴＥ ＦＤＤ及びＬＴＥ ＴＤＤでインデックスの個数が正確に同一であるように、ＬＴＥ ＴＤＤでインデックスの個数が２に制限される。これは、表４に示されている。
【００６９】
【表４】
2014112971.tif 000006
【００７０】
前記方法で、ＬＴＥ ＦＤＤ及びＬＴＥ ＴＤＤに対する一貫性を考慮して、２つのシステムで構成は同一でなければならない。ＬＴＥ ＴＤＤに対する詳細な方法が最適化される。ＬＴＥ ＦＤＤ及びＬＴＥ ＴＤＤに対して他の表の使用が許容されたら、表１乃至表４は、ＬＴＥ ＴＤＤだけで使用され、ＬＴＥ ＦＤＤに対する別個の設計が可能である。主な差異は、ＬＴＥ ＦＤＤでは２ｍｓ周期に２個のインデックスだけが使用されることである。
【００７１】
前記説明は、ＬＴＥ ＴＤＤで２ｍｓ及び５ｍｓ周期の再定義に基づくＳＲＳ構成方法に関するものである。構成０乃至２及び６で２ｍｓ周期の再定義として実際周期は５ｍｓである。構成３乃至５で２ｍｓ周期の再定義として実際周期は１０ｍｓである。計算のためにＳＲＳの周期値を使用する時、構成０乃至２及び６の２ｍｓ周期に対応して５ｍｓが周期として使用され、構成３乃至５の２ｍｓ周期に対応して１０ｍｓが周期として使用される。
【００７２】
ＬＴＥ ＴＤＤで２ｍｓ及び５ｍｓ周期の再定義が使用されず、２ｍｓ及び５ｍｓ周期がサポートされない状況で、システムは、５ｍｓまたは１０ｍｓに２個のＳＲＳが構成されるように定義する。ＳＲＳの周期を使用する時、周期の値が直接計算に利用される。表５及び表６は、２個の可能な詳細な構成方法を示す。表５または表６で、周期値は、実際周期値である。ハーフフレームに２個のＳＲＳシンボルを選択する方法としてすべて１０種（Ｃ（５、２））がサポートされるものと仮定する。
【００７３】
表５で、インデックスが０と９との間である時、５ｍｓ周期に２個のＳＲＳが構成される。対応するオフセット０乃至９は、実質的にハーフフレームから２個のＳＲＳシンボルを選択する方法に対するインデックスである。インデックスが１０と１４との間である時、５ｍｓ周期に１個のＳＲＳが構成され、オフセットは、指定されたＳＲＳのポジション（position）を提示する。インデックスが１５と２４との間である時、１０ｍｓ周期に２個のＳＲＳが構成される。対応するオフセット０乃至９は、実質的にハーフフレームから２個のＳＲＳシンボルを選択する方法に対するインデックスである。インデックスが２５と３４との間である時、１０ｍｓ周期に１個のＳＲＳが構成され、オフセットは、指定されたＳＲＳのポジションを示す。
【００７４】
【表５】
2014112971.tif 000007
【００７５】
表６の効果は、新しい実施例の具現のための行の手順を除いて、表５のそれと同一である。本発明は、表でＳＲＳ周期の手順に関して制限される。
【００７６】
表６で、インデックスが０と９との間である時、５ｍｓ周期に２個のＳＲＳが構成される。対応するオフセット０乃至９は、実質的にハーフフレームから２個のＳＲＳシンボルを選択する方法に対するインデックスである。インデックスが１０と１９との間である時、１０ｍｓ周期に２個のＳＲＳが構成される。対応するオフセット０乃至９は、実質的にハーフフレームから２個のＳＲＳシンボルを選択する方法に対するインデックスである。インデックスが２０と２４との間である時、５ｍｓ周期に１個のＳＲＳが構成され、オフセットは、指定されたＳＲＳのポジションを示す。インデックスが２５と３４との間である時、１０ｍｓ周期に１個のＳＲＳが構成され、オフセットは、指定されたＳＲＳのポジションを示す。
【００７７】
【表６】
2014112971.tif 000008
【００７８】
ＬＴＥ ＴＤＤで２ｍｓ及び５ｍｓ周期の再定義が使用されなければ、ＬＴＥ ＴＤＤでサポートされない２ｍｓ周期が定義され、ハーフフレーム（５０ｍｓ）毎に２個のＳＲＳが構成される。それで、計算のためにＳＲＳの周期値を使用する時、構成０乃至２及び６に対応して５ｍｓが周期として使用され、構成３乃至５に対応して１０ｍｓが周期として使用される。表６は、可能な構成方法を示す。ハーフフレームで２個のＳＲＳシンボルを選択する方法としてすべて１０種（Ｃ（５、２））がサポートされるものと仮定する。
【００７９】
表７で、インデックスが０と９との間である時、５ｍｓ周期に２個のＳＲＳが構成される。対応するオフセット０乃至９は、ハーフフレームから２個のＳＲＳシンボルを選択する方法に対するインデックスである。インデックスが１０と１４との間である時、５ｍｓ周期に１個のＳＲＳが構成され、オフセットは、指定されたＳＲＳのポジションを示す。インデックスが１５と２４との間である時、１０ｍｓ周期に１個のＳＲＳが構成され、オフセットは、指定されたＳＲＳのポジションを示す。
【００８０】
【表７】
2014112971.tif 000009
【００８１】
１０（Ｃ（５、２））個のインデックスが１つの周期に２個のＳＲＳを伝送するのに必要な完全な柔軟性を達成するのに使用される。インデックスで２個の選択されたＳＲＳシンボルへのマッピングは、次の通りである。
【００８２】
I．ＵｐＰＴＳが２個のＳＲＳシンボルを含む場合、第１のＳＲＳシンボルは、ＳＲＳサブフレームオフセット０によって指示され、第２のＳＲＳシンボルは、ＳＲＳサブフレームオフセット１によって指示される。
【００８３】
II．ＵｐＰＴＳが１個のＳＲＳシンボルを含む場合、そのＳＲＳシンボルは、ＳＲＳサブフレームオフセット１によって指示される。他のサブフレームにあるＳＲＳシンボルは、当該オフセット（すなわち２、３または４）によって指示される。
【００８４】
したがって、１０（Ｃ（５、２））個のインデックスを２個の選択されたＳＲＳシンボルにマッピングする可能な方法が表８に示されている。
【００８５】
【表８】
2014112971.tif 000010
【００８６】
ネットワークは、無線資源制御（radio resource control；ＲＲＣ）信号を利用して生成されたＳＲＳを伝送する。
【００８７】
生成されたＳＲＳ情報は、伝送チャネル及び物理チャネルにマッピングされ、アンテナを通じてユーザ端末に伝送された後、それによって処理される。
【００８８】
指定されたユーザのＳＲＳ伝送装置が図３に例示されている。前記装置は、ＳＲＳ情報を発生させるＳＲＳ生成モジュール（３０１）を含む。ＳＲＳ情報は、伝送チャネルモジュール（３０２）にマッピングされ、物理チャネルマッピングモジュール（３０３）に伝達され、指定されたユーザのＳＲＳがアンテナ（３０４）を通じて伝送される。
【００８９】
ＬＴＥ  ＵＥでＳＲＳ伝送装置が図４に例示されている。前記装置は、ＳＲＳシーケンス生成器（４０１）を含む。ＳＲＳシーケンス生成器（４０１）は、モジュール（４０２）によって受信された指定されたユーザのＳＲＳ情報及びモジュール（４０３）によって受信されたその他の情報（ＳＲＳ伝送に使用されるサイクルオフセット、コム（comb）、帯域幅など）に基礎して、ＳＲＳシーケンスを発生させる。シーケンス伝送制御機（４０４）の制御の下に、モジュール（４０５）によって適切なタイミングに割当られた物理的資源で電力が調整され、指定されたユーザのＳＲＳがアンテナ４０７を通じて伝送される。
【００９０】
次に、本発明の実施例によってＬＴＥ ＴＤＤでＳＲＳを伝送する２つの例を説明する。既存に知られた機能及び要素に対する説明は、不要に詳細することに起因して本発明の記述が曖昧になりうる場合に省略される。
【００９１】
第１例
図６を参照すれば、ＬＴＥ ＴＤＤで構成１（６０２）が本例に適用される。
指定されたユーザのＳＲＳ伝送を示す信号情報がＬＴＥネットワークによって生成される。表１によれば、インデックス６３５が選択される。ＬＴＥ ＴＤＤで、前記インデックスは、周期が２ｍｓであることを示し、また、指定されたユーザがＵｐＰＴＳ（６０１または６０４）で第１及び第２シンボルでＳＲＳを伝送することを示す。ＬＴＥ ＴＤＤで、前記インデックスは、指定されたユーザが２ｍｓフレームの第１サブフレームに利用可能なＯＦＤＭシンボルをＳＲＳ伝送のために利用することができることを示す。すると、伝送チャネルマッピング及び物理チャネルマッピングを通じて、システムは、インデックス情報を指定されたユーザに伝送する。
【００９２】
第２例
図７を参照すれば、ＬＴＥ ＴＤＤで構成３（７０４）が本例に適用される。
指定されたユーザのＳＲＳ伝送を示す信号情報がＬＴＥネットワークによって生成される。表１によれば、インデックス６３７が選択され、前記インデックスは、周期が２ｍｓであることを示す。ＬＴＥ ＴＤＤで、前記インデックスは、指定されたユーザが第１シンボル（７０１）及び第１正規上向きリンクサブフレーム（サブフレーム２、７０２）にＳＲＳを伝送することを示す。ＬＴＥ ＴＤＤで、前記インデックスは、システムによって予約されたものであって、システムは、指定されたユーザのＳＲＳ情報を伝送するにこのインデックスを使用しない。すると、伝送チャネルマッピング及び物理チャネルマッピング後に、システムは、インデックス情報を指定されたユーザに伝送する。
【００９３】
本発明が特定の実施例を参照して図示され説明されたが、当業者は、添付の請求範囲及びそれと同等なものによって定義される本発明の趣旨及び範囲を脱することなく、その形式及び詳細事項において様々な変更が可能であることを理解すべきである。
【符号の説明】
【００９４】
３０１  ＳＲＳ生成モジュール
３０２  伝送チャネルモジュール
３０３  物理チャネルマッピングモジュール
３０４  アンテナ
【図１】
2014112971.tif 000015
【図２】
2014112971.tif 000016
【図３】
2014112971.tif 000017
【図４】
2014112971.tif 000018
【図５】
2014112971.tif 000019
【図６】
2014112971.tif 000020
【図７】
2014112971.tif 000021